(57)【要約】【課題】  ゴルフ・サッカー・テニス・野球・庭園等の芝の植生を良好にするための芝地面の床土の排水能力を高める床土排水構造を提供する。【解決手段】  芝を植生する地面の表土を除去して地面原土１を露出し、７０ｃｍ巾で深さ９０ｃｍの主排水溝２を掘削し、この主排水溝２の左右それぞれに略直角に５０ｃｍ巾で深さ８０ｃｍ程の枝排水溝３を設け、主排水溝の溝底に２０ｃｍの厚みに，枝排水溝の溝底に１０ｃｍの厚みのシャモットの軽石４を投入し、その上に主排水パイプ５を，枝排水溝３に枝排水パイプ６を敷設し、同枝排水パイプを主排水パイプ５に接続し、同主枝排水パイプの上に軽石４を投入し主枝排水溝を充填する。又これら溝の上に防砂網８を敷設し、この上に砂を３０ｃｍ程積層し、この砂上面に芝を植生し、主排水パイプ５を調整桝７に接続する。【選択図】図６
2007211546.tif 000002
【特許請求の範囲】
【請求項１】
芝を植生する地面の表土を除去して地面原土を露出させ、同地面原土を締めた後に地面原土にその傾斜方向に沿って深さが４０ｃｍ以上で巾が４０ｃｍ以上の主排水溝を設け、同主排水溝に合流する巾が４０ｃｍ以上で深さが４０ｃｍ以上の枝排水溝を所定間隔をもって複数設け、主排水溝の下流側を排水路に接続し、主排水溝及び枝排水溝の底部に砕石又は軽石を１０ｃｍ以上の厚みに投入し、その砕石軽石層の上に通水孔を多数設けたプラスチック製集水パイプを配置し、枝排水溝の集水パイプを主排水溝の集水パイプに接続し、同集水パイプを埋設するように主排水溝及び枝排水溝に砕石又は軽石を原土表面の高さまで充填し、砕石又は軽石を充填した溝の上面及びその溝の左右の所定巾の原土表面に砂の落下を防ぐ防砂網を敷設し、その防砂網上及びそれ以外の原土表面を締め固めながらその上に２０ｃｍ以上の厚みに砂を積層させ、同砂層上に芝を植生させ、芝面の雨水を砂層を介して枝排水溝と主排水溝とに集め、集めた水を各排水溝の排水パイプに集水し、雨水を排水パイプ及び主排水溝と枝排水溝とを介して下方へ誘導して排水路に送り込んで排水するようにした、芝地面の床土排水改善構造。
【請求項２】
軽石がシャモットである請求項１記載の芝地面の床土排水改善構造。
【請求項３】
主排水溝の巾が６０〜８０ｃｍで、深さが５０〜１００ｃｍであり、枝排水溝の巾が６０〜８０ｃｍで深さが４０〜１００ｃｍである請求項１又は２記載の芝地面の床土排水改善構造。
【発明の詳細な説明】
【技術分野】
【０００１】
ゴルフ・サッカー・テニス・野球・庭園の芝を植生させた地面の床土の排水改善構造に関する。
【背景技術】
【０００２】
従来、ゴルフのグリーンに採用されてきた米国ゴルフ協会のサンドグリーンの床土構造は、グリーンとする地面の表土を除去して地面原土を露出させた後、原土に巾２０ｃｍで深さ３０ｃｍ程の溝を複数掘削し、その中に通水孔を設けた１０ｃｍ直径の排水パイプを配設し、同溝内及び原土表面に６ｍｍ直径程の砂利を投入し、原土表面上に１０ｃｍ厚み程に積層させ、その上に１ｍｍ直径以上の粗砂を５ｃｍ程厚みに積層させ、更にその上に砂と土の混ざった混合土壌を積層させ、その混合土壌表面に芝を植生するものである。
しかしながら、このサンドグリーンの構造では地面原土が粘土質で水を下方に通過させない土質の場合、混合土壌・粗石・砂利を通過した雨水は、溝へ集中的に流入する。溝は溝巾・深さともに小さいため、溝及び排水パイプによる排水量が集水量より低くなって、グリーンに水溜り、湿地状態を生起するようになっていた。又、地面の粘土成分・泥成分が溝に入って小さい溝はこれら粘土・泥成分の沈澱が厚く溜まって排水パイプの通水孔及びパイプ内部を目詰まりさせて、排水力を低下させる。その為、定期的にグリーンサンドの補修作業を必要としていた。
又、乾期において、保水は小さな溝に集められた水のみであるので貯水力が不足して乾燥した日・日照りの日が長く続くと供給水がなくなって芝が枯れ易いという問題点があった。
【０００３】
又、芝の床土の排水構造の別の方法として、特開平１１−４６６０５号公報で知られているように、地盤上に防水シートを介して芝床土層を形成し、同芝床土層の地中に無数の微細孔を有する潅水パイプを適切な間隔で多数埋設し、防水シートのない芝床土下方に地中溝を適当な間隔で掘削し、この地中溝中に暗渠排水管を砕石と木炭粒とで埋め戻すようにして複数設け、暗渠排水管の排水路に水位調整桝を接続する構造の地中潅排水システムが知られている。
しかしながら、この排水構造では、芝床土層の雨水を直接地中溝へ集水するので、雨水に含まれた泥・粘土質、溝の土壌成分が地中溝に入り込んで暗渠排水管に流入してその表面の孔及び管内部を目詰りさせて、やはり長期間に排水能力を落とすものであった。又、潅水パイプを多数埋設させる必要があり、工事費が嵩むものとなっていた。
【特許文献１】特開平１１−４６６０５号公報
【発明の開示】
【発明が解決しようとする課題】
【０００４】
本発明は、従来のこれらの問題を解消し、排水能力が長年数の使用でも低下することが少ない芝地面の床土排水改善構造を提供することにある。
【課題を解決するための手段】
【０００５】
かかる課題を解決した本発明の構成は、
１）  芝を植生する地面の表土を除去して地面原土を露出させ、同地面原土を締めた後に地面原土にその傾斜方向に沿って深さが４０ｃｍ以上で巾が４０ｃｍ以上の主排水溝を設け、同主排水溝に合流する巾が４０ｃｍ以上で深さが４０ｃｍ以上の枝排水溝を所定間隔をもって複数設け、主排水溝の下流側を排水路に接続し、主排水溝及び枝排水溝の底部に砕石又は軽石を１０ｃｍ以上の厚みに投入し、その砕石軽石層の上に通水孔を多数設けたプラスチック製集水パイプを配置し、枝排水溝の集水パイプを主排水溝の集水パイプに接続し、同集水パイプを埋設するように主排水溝及び枝排水溝に砕石又は軽石を原土表面の高さまで充填し、砕石又は軽石を充填した溝の上面及びその溝の左右の所定巾の原土表面に砂の落下を防ぐ防砂網を敷設し、その防砂網上及びそれ以外の原土表面を締め固めながらその上に２０ｃｍ以上の厚みに砂を積層させ、同砂層上に芝を植生させ、芝面の雨水を砂層を介して枝排水溝と主排水溝とに集め、集めた水を各排水溝の排水パイプに集水し、雨水を排水パイプ及び主排水溝と枝排水溝とを介して下方へ誘導して排水路に送り込んで排水するようにした、芝地面の床土排水改善構造
２）  軽石がシャモットである前記１）記載の芝地面の床土排水改善構造
３）  主排水溝の巾が６０〜８０ｃｍで、深さが５０〜１００ｃｍであり、枝排水溝の巾が６０〜８０ｃｍで深さが４０〜１００ｃｍである前記１）又は２）記載の芝地面の床土排水改善構造
にある。
【発明の効果】
【０００６】
本発明は、地面原土を除去し、その地面原土に巾が４０ｃｍ以上、深さが４０ｃｍ以上の大きい巾と深さが深い主排水溝と、これに合流する巾が４０ｃｍで深さが４０ｃｍ以上の大きい巾と深さの深い枝排水溝とを所定間隔とって複数設け、しかも、集水パイプは、砕石軽石の１０ｃｍ以上浮かした状態であるので、沈澱物で集水パイプ及び排水溝が目詰まり状態となることが少なく、約３０〜４０年間は、何らのメンテナンス工事を不要にして高い排水力を確保できるものとなる。この排水溝にシャモット等の多孔質の軽石を１０ｃｍ以上投入した上に集水パイプを配置し、更にその上から軽石を充填するので軽石を充填材として使用するものでは、軽量であって作業者が手押し車等を用いて人力で軽石を移動して排水溝に投入でき、作業が容易で重機を用いず素人でもできるので安価にできる。
又、この砕石軽石を充填した排水溝の上面にはその左右の所定の巾に渡って防砂網を敷設した上で砂を深く積層するものであるので、この防砂網と砂によって泥・粘土成分・原土成分の溝への流入を抑え、排水溝の通水性（排水力）の低下を抑えている。
【発明を実施するための最良の形態】
【０００７】
本発明の枝排水溝は、主排水溝の左右に設けることが多いが、地形によっては一方側だけに設けることもできる。又枝排水溝の間隔は傾斜地か、平地（傾斜がない地面）かによって変わるが、平地の場合は４〜５ｍの間隔で、又傾斜があるときは短い２〜３ｍの間隔で設ける。
本発明の主排水溝の巾は６０〜１００ｃｍの範囲が目詰・沈澱が大きく抑えられるため好ましく、７０ｃｍ程度が実用的な値である。枝排水溝の巾も４０ｃｍ以上で６０〜１００ｃｍ程が好ましい。又、主排水溝の深さは５０〜１００ｃｍ，枝排水溝の深さは４０〜１００ｃｍが好ましい。
本発明の排水溝・地面原土の上に積層する砂の上に砂と土の混合土壌を載せて芝を植生してもよい。
【実施例１】
【０００８】
以下、本発明の実施例を図面に基づいて説明する。本実施例は、ゴルフ場のグリーン・フェアウェイの芝の床土の排水に適用した例である。
図１，２は、実施例の排水改善構造の作業行程を示す説明図である。
図３は、実施例の地面原土に掘削した主排水溝と枝排水溝と設置された排水パイプを示す平面図である。
図４は、図３のＡ−Ａ断面図である。
図５は、図３のＢ−Ｂ断面図である。
図６は、実施例の芝の排水改善構造を示す断面図である。
図７は、本発明の他の排水溝の配列を示す説明図である。
図中、Ｇはゴルフ場のグリーン、１はグリーンＧの地面原土、１ａは除去された地面の表土、２は地面原土１の中央で傾斜方向に形成された巾７０ｃｍ，深さ９０ｃｍの主排水溝、３は同主排水溝の左右それぞれに、４ｍ程の間隔で主排水溝に対して略直角に合流する巾５０ｃｍ，深さ８０ｃｍの枝排水溝、４は主排水溝２，枝排水溝３に投入された軽石であって、２ｃｍ〜１０ｃｍ程の径のシャモットである。５は主排水溝２中のプラスチック製の１０ｃｍ直径の主排水パイプ、５ａは同排水パイプの表面に多数設けた通水孔、６は枝排水溝３中に配置された１０ｃｍ直径のプラスチック製枝排水パイプ、６ａは同排水パイプ表面に多数設けた通水孔、６ｂは主枝排水パイプ５，６の接続部、７は主排水溝２の下流側の排水路に設けた調整桝、８は主排水溝２，枝排水溝３に軽石４を充填した後に溝の上面及びその左右の地面原土に敷設するプラスチック製防砂網、９は同防砂網上及びその周辺の地面原土１上に積層させた砂、１０は同砂の表面に植生した芝、１１は調整桝の水を送出する暗渠の排水路、１２は排水路からの水を貯めるため池である。
【０００９】
この実施例では、まずグリーンＧとする地面表土１を地面原土が露出するまでトラクタシャベル・ブルドーザ・トラクタシャベル等を用いて除去する。このときグリーンＧに所要の凹凸・傾きを与えるように地面原土の地形を整形する（図１参照）。次にこの地面原土１をローラ車等を用いて締め固める。締められた地面原土１の略中央で傾斜方向に７０ｃｍ巾で深さ９０ｃｍ程の主排水溝２を掘削する。次にこの主排水溝２の左右それぞれに略直角に合流するように５０ｃｍ巾で深さ８０ｃｍ程の枝排水溝３を設ける。枝排水溝３の間隔は、傾きがかなりある場合は２〜４ｍの間隔で、あまり傾きがあまりない場合は１．５〜２．０ｍの間隔で複数設ける（図１，２，３参照）。この枝排水溝３には主排水溝２に向けて下がるように傾斜を設ける。
次に、主排水溝２の溝底に２０ｃｍ程の厚みにシャモットを用いた軽石４を投入する。又枝排水溝の溝底に１０ｃｍ程の厚みにシャモットの軽石４を投入する。
【００１０】
次に、主排水溝２の溝底に投入された軽石４の上に通水孔５ａを多数設けた１０ｃｍ直径のプラスチック製主排水パイプ５を敷設する。又枝排水溝３の溝底に投入された軽石４の上にも通水孔６ａを多数設けた１０ｃｍ直径の枝排水パイプ６を敷設し、枝排水パイプ６の下流端を主排水溝２中で主排水パイプ５に接続する。この状態を図３に示している。主排水パイプ５と主排水溝２の下流側は調整桝７に接続され、排水路１１に送られている。
【００１１】
その後、主排水溝２と枝排水溝３の内にシャモットの軽石４を投入して溝を埋めるように充填する。
主排水溝２と枝排水溝３の溝上面とその周辺の３０〜５０ｃｍ程の巾の原土１の表面には、砂が網目から流下しない細目の防砂網８を敷設する。この上に砂（山砂好ましくは海砂）を３０ｃｍ程積層する（図２参照）。この砂に肥料・有機堆肥等を散布して混合して芝土を形成し、その表面に芝１０を植生していく。
【００１２】
本実施例によれば、植生した芝１０への雨水は、３０ｃｍ程の砂９によって水捌けよく砂９の層を流下し、砂層の下の地面原土１の上面（特に粘土質の地面の場合）に沿って、又は砂９の中で傾斜の低い方へ流れ、枝排水溝３又は主排水溝２内へ流入する。主・枝排水溝は多孔質の軽石４があり、又軽石４間に空隙が多数あるので、雨水は両排水溝２，３の溝下方へ流入する。雨水の一部は、軽石４に吸水され保水される。又雨水の多くは主排水溝２と枝排水溝３の溝底部に貯り、溝底の傾斜によって下流方向に流れる。又枝排水溝３の雨水は主排水溝２に合流して流下する。又主排水溝２，枝排水溝３の底部１０ｃｍ，２０ｃｍ上方にある主排水パイプ５・枝排水パイプ６の通水孔５ａ，６ａから流入して集水して主・枝排水パイプ５，６を介して雨水を効果的に下流へ送る。この主・枝排水パイプ５，６は両排水溝の溝底面から１０〜２０ｃｍ上方に設けられているため、及び溝巾が４０ｃｍ以上で広いため、主・枝排水溝２，３に流入した泥・粘土が溜まってきて主・枝排水パイプ５，６を泥・粘土で埋め尽くすことが少なく、主・枝排水パイプ５，６の目詰まりは起こりにくくなっている。
【００１３】
このように主・枝排水溝２，３及び主・枝排水パイプ５，６に集水された水は、その傾斜によって調整桝７に流入し、そこから排水路１１の大きな暗渠に送られてため池、川に送られるものである。
雨水がない場合、主・枝排水溝２，３中の軽石４は保水しているので、ある程度の水を芝に供給でき、乾燥にも対応できる。又、溝の巾・深さもあるので、主・枝排水溝２，３内にある程度の水を貯えることができる。
更に、排水溝中の軽石間の空隙には空気があるため、根に空気を送ることができ、芝は枯れにくくなっている。
【００１４】
このように、本実施例では３０〜４０年の間メンテフリーでグリーンの水捌けを良好にし、グリーンに水溜りが発生したり、湿って芝の表土を軟弱にせず凹凸・足跡を作ることがない。又乾燥に対しても軽石４及び主副排水溝２，３が保水して、芝に水を供給可能にし、乾燥・乾期にも強くなっている。
【００１５】
図５に示す例は、傾斜が全面的に一方向にある傾斜地に適用した例であり、主排水溝２は、傾斜の低い位置に横向きに傾斜方向に設けられ、傾斜地の高い所から低い主排水溝２に向けて、複数の枝排水溝３を形成した例である。
この例でも、水捌けはよく、又湿らずに且つ乾燥に強い芝の床土の排水構造となっている。
【産業上の利用可能性】
【００１６】
本発明は、実施例のゴルフ場のグリーン・フェアウェイの芝の床土の排水改善の他に、テニス・サッカー・芝運動場、庭園の広い芝の床土の排水構造にも使用できる。平地の芝の場合はこの場合、溝深さを変えて排水溝の溝底に勾配を与えるようにする。
【図面の簡単な説明】
【００１７】
【図１】実施例の排水改善構造の作業行程を示す説明図である。
【図２】実施例の排水改善構造の作業行程を示す説明図である。
【図３】実施例の地面原土に掘削した主排水溝と枝排水溝と設置された排水パイプを示す平面図である。
【図４】図３のＡ−Ａ断面図である。
【図５】図３のＢ−Ｂ断面図である。
【図６】実施例の芝の排水改善構造を示す断面図である。
【図７】本発明の他の排水溝の配列を示す説明図である。
【符号の説明】
【００１８】
Ｇ  グリーン
１  地面原土
２  主排水溝
３  枝排水溝
４  軽石
５  主排水パイプ
５ａ  通水孔
６  枝排水パイプ
６ａ  通水孔
７  調整桝
８  防砂網
９  砂
１０  芝
１１  排水路
【図１】
2007211546.tif 000003
【図２】
2007211546.tif 000004
【図３】
2007211546.tif 000005
【図４】
2007211546.tif 000006
【図５】
2007211546.tif 000007
【図６】
2007211546.tif 000008
【図７】
2007211546.tif 000009